(57)【要約】【課題】手の自由度を損なうことなく再生される音声信号を聴くことができるようにする。【解決手段】音声再生カード１には、音声データを記憶する記録媒体１１、操作ボタン群１２、制御部１３、増幅回路１４及びスピーカ１５が設けられており、操作ボタン群１２の操作に応じて記録媒体１１中の音声データがスピーカ１５から再生される。音声再生カード１には切り取り線１７が設けられており、それを切り取ることで形成される切り欠き部を耳介に係合させることで、音声再生カード１を使用者の耳に掛けることができる。このときスピーカ１５が外耳孔に対向するように配置されている。折り曲げ可能とされた外耳固定用部位を設け、該外耳固定用部位と音声再生カード本体との間に耳介を挟むようにしても良いし、切り取り線で切り離すことによりケーブルとインナータイプのイヤホンとなるスピーカを設けても良い。【選択図】図１
2007295061.tif 000002
【特許請求の範囲】
【請求項１】
音声データを記憶する記録媒体と、
前記記録媒体に記憶されている音声データを再生してスピーカに出力する音声再生手段と、
スピーカとを有する音声再生カードであって、
耳介を挟み込むための切り欠き部を形成するための切り取り線が形成されており、
前記スピーカは、耳介に前記切り欠き部を係合させたときに外耳孔に対向する位置に配置されている
ことを特徴とする音声再生カード。
【請求項２】
音声データを記憶する記録媒体と、
前記記録媒体に記憶されている音声データを再生してスピーカに出力する音声再生手段と、
スピーカとを有する音声再生カードであって、
該音声再生カードには、折り目を介して折り曲げ可能とされた複数の外耳固定用部位が設けられており、
前記スピーカは、耳介を前記外耳固定用部位と前記音声再生カード本体とで挟んだときに、外耳孔に対向する位置に配置されている
ことを特徴とする音声再生カード。
【請求項３】
音声データを記憶する記録媒体と、
前記記録媒体に記憶されている音声データを再生してスピーカに出力する音声再生手段と、
インナータイプのイヤホンとして使用することができるスピーカとを有する音声再生カードであって、
切り離すことで、前記スピーカ及び前記音声再生手段と前記スピーカとを結ぶケーブルを形成することができる切り取り線が形成されている
ことを特徴とする音声再生カード。
【請求項４】
表面に、文字や図形が印刷されていることを特徴とする請求項１ないし３のいずれかに記載の音声再生カード。
【発明の詳細な説明】
【技術分野】
【０００１】
本発明は、カード型の音声再生装置に関する。
【背景技術】
【０００２】
従来より、録音再生機能を持たせた郵送用のカード（グリーティングカード）が提案されている（特許文献１及び特許文献２）。
また、耳掛け型の携帯型再生機器も提案されている（特許文献３及び特許文献４）。
【特許文献１】実開平０６−００３６７１号公報
【特許文献２】特開平１１−０７０７７０号公報
【特許文献３】特開２００２−０４１０５６号公報
【特許文献４】特表平０９−５１０５８８号公報
【発明の開示】
【発明が解決しようとする課題】
【０００３】
特許文献１及び２で提案された録音再生機能を有するカードは、イヤホンがないため、音声が聞き取りづらい場合、手に持って耳に近付けなければならず、片方の手の自由度を損なう。また、長時間耳に近づけたまま聴いていると腕が疲れてしまう。手に持たずに、どこかに設置して聴くときには、設置するのに適した場所を探さなければならない。
また、上記カードにイヤホンを接続することも考えられるが、イヤホンを結線する煩わしさがある。
さらに、特許文献３及び４に記載された耳掛け型の携帯型再生機器は耳介を通して挟む構造となっているが、カード形状をしておらず、取り扱いに制限がある。
【０００４】
そこで、本発明は、簡単な構成で、手の自由度を損なうことなく再生される音声信号を聴くことのできる音声再生カードを提供することを目的としている。
【課題を解決するための手段】
【０００５】
上記目的を達成するために、本発明の音声再生カードは、音声データを記憶する記録媒体と、前記記録媒体に記憶されている音声データを再生してスピーカに出力する音声再生手段と、スピーカとを有する音声再生カードであって、耳介を挟み込むための切り欠き部を形成するための切り取り線が形成されており、前記スピーカは、耳介に前記切り欠き部を係合させたときに外耳孔に対向する位置に配置されているものである。
また、本発明の他の音声再生カードは、音声データを記憶する記録媒体と、前記記録媒体に記憶されている音声データを再生してスピーカに出力する音声再生手段と、スピーカとを有する音声再生カードであって、該音声再生カードには、折り目を介して折り曲げ可能とされた複数の外耳固定用部位が設けられており、前記スピーカは、耳介を前記外耳固定用部位と前記音声再生カード本体とで挟んだときに、外耳孔に対向する位置に配置されているものである。
さらに、音声データを記憶する記録媒体と、前記記録媒体に記憶されている音声データを再生してスピーカに出力する音声再生手段と、インナータイプのイヤホンとして使用することができるスピーカとを有する音声再生カードであって、切り離すことで、前記スピーカ及び前記音声再生手段と前記スピーカとを結ぶケーブルを形成することができる切り取り線が形成されているものである。
さらにまた、表面に、文字や図形が印刷されているものである。
【発明の効果】
【０００６】
このような本発明の音声再生カードによれば、簡単な構造で耳に掛けることが可能となり、両手の自由度を損なうことなく再生される音声を聴くことができる。
また、別途イヤホンやイヤホンを用意する必要もなく、外部的な結線も必要でない。
さらに、スピーカ１５の部分が外耳孔に当たるため、小さい音でも聴くことができ、スピーカを駆動するための電力の省力化を図ることができる。
さらにまた、カード形状であるため、収納性や利便性に優れ、多様な用途に使用することができる。
さらにまた、表面に文字や図形を印刷することで各種の用途に使用することができ、広告などを印刷する場合には宣伝効果も期待できる。
【発明を実施するための最良の形態】
【０００７】
図１は、本発明の音声再生カードの第１の実施の形態の構成を示す図であり、（ａ）は正面図、（ｂ）は（ａ）におけるＡ−Ａ断面を拡大して示す図、（ｃ）はブロック図である。
図１の（ａ）〜（ｃ）において、１は本実施の形態の音声再生カード、２は音声再生カード１の下部、３は音声再生カード１の上部、１１はこの音声再生カード１で再生される音楽データや音声データ（以下、「音声データ」という。）が記憶されている記録媒体、１２は停止ボタン２１、リバースボタン２２、再生／一時停止ボタン２３、フォワードボタン２４、音量ダウンボタン２５及び音量アップボタン２６などからなる操作ボタン群、１３はマイクロコンピュータなどからなる制御部、１４は増幅回路、１５はスピーカ、１６は電池、１７は音声再生カード１の上部３に設けられた切り取り線である。
本発明の音声再生カード１の大きさは、これに限られることはないが、名刺サイズ（55mm×90mm）又はクレジットカードサイズ（54.0mm×85.6mm）程度とされており、厚さは約１mm〜数mm程度である。このようなサイズとすることにより、収納性や可搬性に優れ、後述する各種の用途に使用することが可能となる。
【０００８】
前記音声再生カード１は、例えば、紙や合成樹脂などの可撓性を有する材料からなる支持部材５と該支持部材５を挟むように貼付された例えば合成樹脂製の表面シート６及び７から構成されている。
図示するように、音声再生カード１の下部２には、その表面に前記操作ボタン群１２と前記スピーカ１５が設けられており、その内部に、前記記録媒体１１、制御部１３、増幅回路１４及び電池１６が設けられている。
また、音声再生カード１の上部３には、該音声再生カード１の一部を除去することができるように、ミシン目などからなる切り取り線１７が形成されている。この切り取り線１７に沿って音声再生カード１の一部を切り取ることにより、この音声再生カード１を使用者の耳介（耳殻）に掛けるための切り欠き部が形成される。そして、使用者がこの音声再生カード１を耳に掛けたときに、その外耳道の入口（外耳孔）に前記スピーカ１５が対向するように、前記スピーカ１５の位置が決定されている。これにより、使用者は、音声再生カード１を手で保持することなく、その再生音を聴くことができる。
なお、この図では、１本の切り取り線１７が形成されている例を示しているが、複数本の切り取り線１７を形成し、使用者が自己に合った切り取り線に沿って切り取るようにしてもよい。
また、前記表面シート６又は７には、絵などの図形や文字が印刷されており、例えば、広告宣伝用の字句や図形が表示されている。
【０００９】
図１の（ｃ）は、前記音声再生カード１のブロック図である。
前記記録媒体１１は、例えば、フラッシュメモリ等の不揮発性メモリからなり、この音声再生カードで再生する音楽や音声の波形データが圧縮されずにあるいは圧縮されて記憶されている。なお、この記録媒体１１として、カード状やスティック状の小型記録メディアを使用することもできる。この場合には、音声再生カード１にその記録メディア用のスロットを設けることにより記録媒体１１を取り外し可能とすることができ、再生する音声情報を変更することが可能となる。
前記制御部１３は、前記操作ボタン群１２の各操作ボタン２１〜２６の操作を検出して、対応する処理を実行する。例えば、音声再生中でないときに再生／一時停止ボタン２３の操作を検出したときは、前記記録媒体１１に記憶されている音声データの読み出しを開始し、該音声データが圧縮されているときには伸長処理を行ったのち、アナログの音声信号に変換して、前記増幅回路１４に供給する。増幅回路１４では、前記制御部１３から供給される音声信号を増幅して、スピーカ１５に供給する。このようにして、記録媒体１１に記憶されている音声データの再生を開始することができる。
なお、各操作ボタン２１〜２６による動作については、通常の音声再生機器における動作と同様であるので詳細な説明は省略する。
なお、前記電池１６としては、ボタン電池、ペーパー電池、フィルム（薄膜）電池あるいは太陽電池など各種の電池を用いることができる。ペーパー電池やフィルム電池を用いる場合には、より薄型の音声再生カードとすることができる。
【００１０】
図２を参照して、前記音声再生カード１の使用形態について説明する。
図２の（ａ）は、前記音声再生カード１の切り取り線１７に沿って切り取った状態を示す図である。切り取り線１７は、耳介の斜め断面形状を略包含する形状とされている。切り取り線１７に沿って切り取ることにより、切り欠き部１８が形成されている。
そして、図２の（ｂ）に示すように、形成された切り欠き部１８に耳介の上部を挟み込む。これにより、音声再生カード１が耳により支持されるとともに、前記スピーカ１５が外耳孔の位置に当たることとなる。この状態で、音声の再生を行うことにより、音声再生カードを手に持って耳に当てることなく、再生される音声を聴くことができる。なお、この図においては、スピーカ１５の位置を明らかとするためにスピーカ１５が外側を向いているように記載しているが、実際にはスピーカ１５が外耳孔に当接するように、反対側の耳に掛けて使用する（後述する図３、図４も同じ）。
また、前記切り欠き部１８は、頭部前方を開放とすることで装着の容易さや種々の耳介形状への対応性を高めている。さらに、前記切り欠き部１８は前方を開放とせず、後述する図３のように、閉じた開口とすることもできる。このようにすると耳介への密着性は高まる。
図２の（ｃ）は本発明の音声再生カード１を耳に装着している状態を示す図である。前述のように、音声再生カード１の表面シート６又は７に広告の文字や図形が印刷されている場合には、この図に示すように、宣伝媒体としての効果も奏することができる。
【００１１】
このように、本発明の音声再生カードによれば、名刺やクレジットカードなどと同じカードサイズであるため、耳に掛けるのに丁度よい大きさであり、また、耳に掛けたときにスピーカ１５が外耳孔に向き合う位置となるようにするのにも都合が良い。そして、耳に掛けることで、別途イヤホンやイヤホンを用意する必要もなく再生される音声を聴くことができ、さらに、スピーカ１５の部分が外耳孔の位置に当たるため、小さい音でスピーカを駆動するだけですみ、省電力化を図ることができる。
【００１２】
図３は、本発明の音声再生カードの他の実施の形態の構成を示す図である。
前記図１に示した実施の形態においては、切り取り線１７に沿って切り取ることで切り欠き部１８を形成するものであったが、この実施の形態では、ループ状に形成された切り取り線に沿って切り取ることで、耳介の一部を挿入することができる孔を形成するようにしている。
図３の（ａ）に示した例は、切り取り線に沿って切り取ることで音声再生カード１の上部に孔３１が形成されるようにしたものである。この孔３１に耳介の上部を挿入することで、音声再生カード１を保持するとともに、スピーカ１５を外耳孔に対向させることができる。
また、図３の（ｂ）に示した例は、切り取り線に沿って切り取ることで音声再生カード１の側部に孔３２が形成されるようにしたものである。この孔３２に耳介の外側の部分を挿入することで音声再生カード１を保持するとともに、スピーカ１５を外耳孔に対向させることができる。この実施の形態では、上述した音声再生カード１の素材が有する弾性により、スピーカ１５の部分を外耳道の入口に密着させることができる。
【００１３】
図４は、本発明の音声再生カードのさらに他の実施の形態の構成を示す図である。
この実施の形態は、切り取り線に沿って切り取ることで切り欠き部や孔部を形成するのではなく、音声再生カードの一部に複数の内側に開く部分（折り目を介して折り曲げ可能なフラップ状の部分）が形成されており、このフラップ状の部分と音声再生カード本体との間に耳介を挟み込むことで音声再生カードを保持するようにしたものである。
図４の（ａ）は本発明のこの実施の形態の音声再生カード１の正面図、（ｂ）は斜視図、（ｃ）はこの音声再生カード１を耳に装着する様子を説明するための図である。これらの図において、前記図１と同一の構成要素には同一の番号を付して説明を省略する。
図４の（ａ）及び（ｂ）において、４０は、音声再生カード１内の前記記録媒体１１、制御部１３、増幅回路１４及び電池１６が含まれている部分（音声再生機能部）を示している。
そして、音声再生カード１における前記スピーカ１５の周囲の前記音声再生機能部４０が含まれていない部分に、切り込み部４１，４４及び４７（実線の部分）が設けられている。これにより、４２，４５及び４８で示す破線の部分を折り目として折り曲げ可能なフラップ状の外耳固定用部位４３，４６及び４９が形成されている。すなわち、この実施の形態では、音声再生カード１の上部と側部に４３，４６及び４９で示す３個のフラップ状の外耳固定用部位が形成されている。
図４の（ｃ）に示すように、前記音声再生カード１の素材が有する弾性を利用して、前記フラップ状の外耳固定用部位４３，４６及び４９と音声再生カード１本体との間に耳介の外縁部の一部を挟むことにより、音声再生カード１を耳に装着し、スピーカ１５が外耳孔の位置に当たるようにしている。
なお、フラップ状の外耳固定用部位４３，４６，４９の形状、個数及び位置は、図４の例に限られることはなく、他の形状、個数及び位置としてもよいが、前記外耳固定用部位は、耳介の外縁部に対応する位置に配置するのが望ましい。
【００１４】
上述した各実施の形態は、音声再生カード１自体を耳に掛けて保持するものであった。次に、音声再生カードに設けられたミシン目に沿って切ることで、イヤホンとケーブルを形成するようにした実施の形態について説明する。
図５は、本発明の音声再生カードのこの実施の形態を示す図であり、（ａ）は切り取り線（ミシン目）で切り離される前の状態を示す正面図、（ｂ）はミシン目を切り離した状態を示す図、（ｃ）はこの実施の形態の音声再生カードの使用形態を示す図である。また、図５の（ｄ）は切り取り線の変形例を示す図である。
図５の（ａ）において、５１はこの実施の形態の音声再生カードである。図示するように、音声再生カード５１は下部５２と上部５３とに分けることができ、下部５２には、前述した記録媒体、制御部、増幅回路及び電池が含まれている音声再生機能部５４と操作ボタン群５５とが含まれている。また、上部５３には、図示するように、所定の間隔をおいて交互に設けられた切り取り線５６と該切り取り線５６の間の領域に形成されたケーブル５８及びインナーイヤータイプのイヤホンとして動作するスピーカ５７が配置されている。前記ケーブル５８は、２本の信号線からなり、前記音声再生機能部５４に含まれている増幅回路の出力を前記スピーカ５７に接続する。
【００１５】
図５の（ｂ）は、前記切り取り線５６を切り離したときの様子を示す図である。この図に示すように、前記切り取り線５６を切り離すことにより、インナーイヤータイプのイヤホンとして動作するスピーカ５７へ信号を供給する細長いケーブル５８が形成される。
これにより、図５の（ｃ）に示すように、前記スピーカ５７を外耳孔に挿入して前記記録媒体１１に記憶されている音声信号を聴くことができる。なお、音声再生カード５１の下部５２は胸ポケットなどに保持することができる。
なお、前記インナーイヤタイプのイヤホンとして動作するスピーカ５７の厚さは、音声再生カード５１の他の部分の厚さよりも厚くても良い。
また、ケーブル５８の長さは、前記切り取り線５６の間隔に応じてその長さを変更することができる。
すなわち、この実施の形態によれば、音声再生カード５１の切り取り線５６を切り離すことにより、インナーイヤータイプのイヤホンとイヤホンケーブルを作成することができるため、別途イヤホンやケーブルを準備したり、イヤホンを結線することなく、音声信号を聴くことができる。
【００１６】
図５の（ａ）〜（ｃ）に示した音声再生カード５１においては、前記切り取り線５６を音声再生カードの両端から所定の間隔をもって交互に設けていたが、これに限られることはない。
図５の（ｄ）は前記切り取り線５６を渦巻き状に設けた変形例を示している。この図のように、切り取り線の形状は適宜変更することができる。
【００１７】
このように構成された本発明の音声再生カードによれば、表面シートに文字や図形を印刷することができるとともに、その大きさが名刺サイズやクレジットカードサイズとされているため、収納性、利便性、可搬性に優れており、これを活かして、次のような各種の用途に好適に使用することができる。
（１）名刺としての利用
前記記録媒体１１に名刺の持ち主の生声による自己ＰＲや、会社紹介のメッセージ、あるいは、イメージ楽曲やＢＧＭを記憶しておく。
（２）製品の販促品としての利用
音声による製品紹介や説明、コマーシャルを前記記録媒体１１に記憶しておく。また、広告を音声再生カードの表面に印刷することによる販促効果を期待できる。
（３）プロモーションへの利用
アイドル曲のプロモーションに使用する。例えば、１コーラスだけ前記記録媒体１１に記憶しておき、表面にサイトのＵＲＬ等を印刷しておく。あるいは、コメディアンのギャグやタレントの生声、声優の生声を記憶しておくことで、アニメや映画、ＴＶゲーム等のプロモーションに使用することができる。
（４）トレーディングカードとしての利用
アイドルやアニメの生声付きトレーディングカード、虫の鳴き声など動物の鳴き声が聞けるトレーディングカード、車のエンジン音が聞ける車トレーディングカード、電車音が聞ける電車トレーディングカードなどとしての利用ができる。
（５）会場案内に利用
美術館、博物館、動物園、水族館などでの会場案内や説明に利用することができる。
（６）プリペイドカードとしての利用
音声による説明やコマーシャルが記憶されたプリペイドカードとして利用することができる。
（７）ニュース等の情報伝達媒体としての利用
駅の売店等で、毎日のニュース情報を記憶した音声再生カードを販売することにより、電車内でニュースを聴取することが可能となる。また、前記記録媒体１１を交換可能又は情報書換可能とする場合には、デポジット方式で、本体を購入後は情報料だけで再利用することが可能となる。
【００１８】
なお、上記においては、音声を再生する機能のみを有する音声再生カードについて説明したが、音声の録音を行う機能を設け、録音と再生を行うことができる音声記録再生カードとしてもよい。
【図面の簡単な説明】
【００１９】
【図１】本発明の音声再生カードの一実施の形態の構成を示す図であり、（ａ）は正面図、（ｂ）は拡大断面図、（ｃ）はブロック図である。
【図２】図１に示した音声再生カードの使用形態を説明するための図である。
【図３】本発明の音声再生カードの他の実施の形態の構成を示す図である。
【図４】本発明の音声再生カードのさらに他の実施の形態の構成を示す図であり、（ａ）は正面図、（ｂ）は斜視図、（ｃ）は使用形態を示す図である。
【図５】本発明の音声再生カードのさらに他の実施の形態の構成を示す図であり、（ａ）は正面図、（ｂ）は切り取り線を切り離した状態を示す図、（ｃ）は使用形態を示す図、（ｄ）は変形例を示す正面図である。
【符号の説明】
【００２０】
１，５１：音声再生カード、２，５２：音声再生カードの下部、３，５３：音声再生カードの上部、５：支持部材、６，７：表面シート、１１：記録媒体、１２，５５：操作ボタン群、１３：制御部、１４：増幅回路、１５，５７：スピーカ、１６：電池、１７，５６：切り取り線、１８：切り欠き部、２１：停止ボタン、２２：リバースボタン、２３：再生／一時停止ボタン、２４：フォワードボタン、２５：音量ダウンボタン、２６：音量アップボタン、３１，３２：孔部、４０，５４：音声再生機能部、４１，４４，４７：切り込み部、４２，４５，４８：折り目、４３，４６，４９：外耳固定用部位、５８：ケーブル
【図１】
2007295061.tif 000003
【図２】
2007295061.tif 000004
【図３】
2007295061.tif 000005
【図４】
2007295061.tif 000006
【図５】
2007295061.tif 000007